(57)【要約】【課題】本発明は、カメラとして周囲を撮影でき、端末間でダイレクトに画像を送信でき、画像の送信がネットワークへ負担をかけず、応答性の高いカメラ付携帯電話装置を提供することを目的とする。【解決手段】本発明のカメラ付携帯電話装置は、呼設定メッセージを受信した場合に、制御情報と発信番号を取り出し、該制御情報を制御命令に変換することができる着サブアドレス処理手段２２と、変換された制御命令に基づいて撮像部を制御することができる制御部１６と、チャットの管理を行うチャット管理手段２６と、メッセージに文字データまたは画像データをセットすることができるチャットメール処理手段２７とを備え、呼設定メッセージを受信すると、制御部１６が撮影を実行し、チャット管理手段２６が画像データをセットしたメッセージを発信番号宛に送信することを特徴とする。【選択図】　図２
2004072652.tif 000002
【特許請求の範囲】
【請求項１】
無線信号を送受信して通話するとともにチャットすることができ、さらに撮像部を備えたカメラ付携帯電話装置であって、
制御情報を着サブアドレスにセットした呼設定メッセージを受信した場合に、前記制御情報と発信番号を取り出し、該制御情報を制御命令に変換することができる着サブアドレス処理手段と、
変換された制御命令に基づいて前記撮像部を制御することができる制御部と、
チャットの管理を行うチャット管理手段と、
文字データまたは画像データをセットしたメッセージを作成することができるチャットメール処理手段とを備え、
前記呼設定メッセージを受信すると、前記制御部が撮影を実行し、チャンネル確立後前記チャット管理手段が画像データをセットしたメッセージを前記発信番号宛に送信することを特徴とするカメラ付携帯電話装置。
【請求項２】
制御情報を着サブアドレスにセットした呼設定メッセージを受信することにより開始したチャットを行っているときに、本文がセットされていない空のメッセージを受信した場合、前記制御部が撮影を実行し、前記チャット管理手段が画像データをセットしたメッセージを前記発信番号宛に送信することを特徴とする請求項１記載のカメラ付携帯電話装置。
【請求項３】
キー入力手段を備え、該キー入力手段からの入力で撮影を行い、チャットメール処理手段が、撮像部が撮影した画像データをメッセージにセットし、これをチャット管理手段が他端末に送信できる請求項１または２記載のカメラ付携帯電話装置。
【請求項４】
電子メールの送受信の管理を行うメール管理手段と、
前記電子メールに画像データを添付することができるメール作成手段を備え、チャット管理手段を備えていない他端末から前記呼設定メッセージを受信すると、前記制御部が撮影を実行し、前記メール管理手段が画像データを添付した電子メールを前記発信番号宛に送信できることを特徴とする請求項１〜３の何れかに記載のカメラ付携帯電話装置。
【請求項５】
ウェブチャットを行うことができるブラウザ手段と、
ＨＴＭＬメッセージに画像データを添付することができるＨＴＭＬ作成手段を備え、
ウェブチャットができる他端末から前記呼設定メッセージを受信すると、前記制御部が撮影を実行し、前記チャット管理手段が画像データをセットしたＨＴＭＬメッセージをウェブサーバ宛に送信できることを特徴とする請求項１〜４の何れかに記載のカメラ付携帯電話装置。
【発明の詳細な説明】
【０００１】
【発明の属する技術分野】
本発明は、撮像部を遠隔制御可能であり、かつチャットで画像を送ることができるカメラ付携帯電話装置に関する。
【０００２】
【従来の技術】
近年、携帯電話装置は急速に普及し、様々な機種やサービスが登場している。その中でもカメラ付携帯電話装置は、画像を撮影し、撮影した画像をデータとして送信して、受信した画像を携帯電話装置に表示するため、携帯電話装置の新しい分野を切り開いたものとして注目されている。なお、ここでいう携帯電話装置は、ＩＳＤＮ等のデジタル回線網を使って基地局間を結び、各基地局との間はデジタル方式で無線通信を行う電話装置であり、当然簡易携帯電話であるＰＨＳを含むものである。そして、このカメラ付携帯電話装置を有効活用することに期待が集まっている。
【０００３】
そこで、携帯電話装置とはいえないが、電子メールを使って遠隔操作が可能なカメラ（特許３２０２６８１号）について説明する。この従来のカメラは、電話回線網を介して送受信される電子メールを用いて、撮影制御情報と画像情報の送受信を行うものである。図５は従来のカメラの構成図である。
【０００４】
図５に示すように、従来のカメラは、撮影を行うための各種撮影情報を含むコマンドメールからなる電子メールを受信するメール受信部１０１と、撮影した画像の画像データを含むレスポンスメールからなる電子メールを送信するメール送信部１０２と、メール受信部１０１に入力したコマンドメールに基づく制御情報を生成すると共に、レスポンスメールを生成してメール送信部１０２へ出力するメール制御部１０５とを備え、メール制御部１０５は、コマンドメールのメールヘッダとメールフッダの間のフィールドから制御対象機器のアドレスと撮影命令を読み出し、アドレス比較部１０３によってコマンドメールに含まれたアドレスとアドレス記憶部１０４に記憶されたアドレスが一致するか否かを判断して、撮影命令に従って駆動装置制御部１０６、ＣＣＤ制御部１０９、駆動装置１０７及び時計部１０８を制御する。ＣＣＤ１１０によって撮影された画像の画像データを含めたレスポンスメールを生成してメール送信部１０２により撮影画像情報を送信するものである。
【０００５】
この従来のカメラによれば、電子メールの受信によってカメラが操作制御され、電子メールの送信によってカメラの撮影画像情報が出力されるので、電話回線網を介して送受信される電子メールを用いた撮影制御情報及び画像情報の送受信が可能になり、カメラの遠隔操作に伴う送受信コストを従来に比べて低減することができる。また、電子メールによって制御情報を送信するので、遠隔操作するカメラの操作条件を細かく設定してより正確且つ広範囲な制御が可能になるものであった。さらに、電子メールを用いて送受信するので、電話回線網に接続すれば、どこからでも遠隔操作するカメラとの送受信が可能になる。
【０００６】
しかし、この従来のカメラは、例えばプロトコルＳＭＴＰで電子メールを使うために汎用性が高いものの、サーバに蓄積された電子メールを取り出す必要がある。例えば、携帯電話端末等からカメラが送信した電子メールを受信する場合、メールサーバにアクセスすることになるが、常にサーバから受信するようにするには電話回線に継続的に接続する必要があり、通信コストがかさみ現実的ではない。また、本通信コストの問題を解決すべく、携帯電話端末へのサービスとして携帯電話端末へのメールがメールサーバに到達した場合に携帯電話端末へメール受信を通知するメール受信通知サービスが提供されてき始めた。しかしながら、メールサーバ間の通信等の関係上、リアルタイムもしくはこれに近い状態でカメラを制御し、画像を入手することはできなかった。
【０００７】
同様に、着サブアドレスと通話モードを使ってリモートコントロールする従来の携帯電話装置も提案されている。すなわち、通話モードになる前に携帯電話装置から他の機器をリモートコントロールするというものである（特開平７−１８３９５９号公報）。この従来の携帯電話装置は、携帯電話装置のインタフェース部と制御対象機器を制御する機器制御部を接続し、携帯電話装置に送られてきた制御信号を機器制御部に送って、制御対象機器を制御する。この携帯電話装置は、通話モードに入る前に制御信号を送る必要から、呼設定メッセージに設けられる情報フィールドの中の情報要素、例えば電話番号（着番号）や各種情報（プロトコル識別子、呼番号、メッセージ種別、他の情報要素、発番号、発サブアドレス、着サブアドレス等）のうち、着サブアドレスを利用するものである。なお、この着アドレスはＩＳＤＮ等で設けられるもので、最大２０バイトの情報を格納できるエリアをもっている。
【０００８】
予め携帯電話装置に着サブアドレス信号と各制御信号との対比関係を予め記憶しておき、制御を行うときには、制御対象機器に対して目的の制御に対応した着サブアドレスをキー入力して送信し、この呼設定メッセージを受信した携帯電話装置は、記憶している着サブアドレスと制御信号との関係から制御対象機器を制御する。例えば、この携帯電話装置に着信があると、まず着サブアドレスがあるか否かが判断される。着サブアドレスがなければ通常の通信動作に入り、着サブアドレスがあればそれを解析する。次に着サブアドレスが機器制御用であるかを判定し、機器制御用であれば制御信号を機器制御部にインタフェース部を通して送信し、機器制御処理を終了する。着サブアドレスが機器制御用でなければ通常通信動作に移る。
【０００９】
この従来の携帯電話装置は、制御対象機器の制御を着サブアドレスによって通話モードに入る前に行うことができるため課金されることがなく、機器制御にかかる時間を短縮できる。しかしどのような機器にどのような制御を行うのかについては開示されていない。
【００１０】
【発明が解決しようとする課題】
以上説明したように従来のカメラは、従来のカメラは、例えばＳＭＴＰで電子メールを使うために汎用性がある分だけ応答が遅く、リアルタイムもしくはこれに近い状態でカメラを制御して画像を入手することはできなかった。
【００１１】
また、通話モードになる前に着サブアドレスを使って他の機器をリモートコントロールする携帯電話装置は、通話モードになる前に機器を制御し、課金をされないで制御する技術を開示したに留まるものである。従って、この携帯電話装置を仮にカメラに適用したとしても、着サブアドレスを使って無料でカメラを操作することまではできるが、その後具体的にどのような処理をするのかは不明である。当然ながら、連続撮影を行い、撮影した複数の画像をリアルタイムに送信するという技術課題は提示されておらず、解決手段も開示されていない。簡易で応答性のよい監視カメラをカメラ付携帯電話装置で実現するためには、この連続撮影を行って複数の画像をリアルタイムに送信する技術が必須であり、これなくしては携帯電話装置による簡易な監視カメラを実現することは難しい。
【００１２】
そこで本発明は、カメラとして周囲を撮影でき、端末間でダイレクトに画像を送信でき、画像の送信がネットワークへ負担をかけず、応答性の高いカメラ付携帯電話装置を提供することを目的とする。
【００１３】
【課題を解決するための手段】
以上説明した問題を解決するために本発明のカメラ付携帯電話装置は、制御情報を着サブアドレスにセットした呼設定メッセージを受信した場合に、制御情報と発信番号を取り出し、該制御情報を制御命令に変換することができる着サブアドレス処理手段と、変換された制御命令に基づいて撮像部を制御することができる制御部と、チャットの管理を行うチャット管理手段と、文字データまたは画像データをセットしたメッセージを作成することができるチャットメール処理手段とを備え、呼設定メッセージを受信すると、制御部が撮影を実行し、チャンネル確立後チャット管理手段が画像データをセットしたメッセージを発信番号宛に送信することを特徴とする。
【００１４】
これにより、簡易で安価なカメラとして周囲を撮影でき、端末間でダイレクトに画像を送信でき、画像の送信がネットワークへ負担をかけず、応答性の高いカメラ付携帯電話装置を提供することができる。
【００１５】
【発明の実施の形態】
本発明の請求項１に記載された発明は、無線信号を送受信して通話するとともにチャットすることができ、さらに撮像部を備えたカメラ付携帯電話装置であって、制御情報を着サブアドレスにセットした呼設定メッセージを受信した場合に、制御情報と発信番号を取り出し、該制御情報を制御命令に変換することができる着サブアドレス処理手段と、変換された制御命令に基づいて撮像部を制御することができる制御部と、チャットの管理を行うチャット管理手段と、文字データまたは画像データをセットしたメッセージを作成することができるチャットメール処理手段とを備え、呼設定メッセージを受信すると、制御部が撮影を実行し、チャンネル確立後チャット管理手段が画像データをセットしたメッセージを発信番号宛に送信することを特徴とするカメラ付携帯電話装置であって、着サブアドレスを使用して撮像部を制御して撮影を行い、撮影した画像データをチャットで送るため、きわめて短時間に画像を得ることができ、応答性がよい。発信番号宛の送信を行うから端末間でダイレクトに画像を送信でき、画像の送信がネットワークへ負担をかけず、リアルタイムもしくはこれに近い状態で画像を入手できる。カメラ付携帯電話装置を簡易で安価なカメラとして利用できる。
【００１６】
本発明の請求項２に記載された発明は、制御情報を着サブアドレスにセットした呼設定メッセージを受信することにより開始したチャットを行っているときに、本文がセットされていない空のメッセージを受信した場合、制御部が撮影を実行し、チャット管理手段が画像データをセットしたメッセージを発信番号宛に送信することを特徴とする請求項１記載のカメラ付携帯電話装置であって、制御情報を解析する必要がなく、直ちに且つダイレクトに画像を送信でき、リアルタイムもしくはこれに近い状態で画像を入手できる。
【００１７】
本発明の請求項３に記載された発明は、キー入力手段を備え、該キー入力手段からの入力で撮影を行い、チャットメール処理手段が、撮像部が撮影した画像データをメッセージにセットし、これをチャット管理手段が他端末に送信できる請求項１または２記載のカメラ付携帯電話装置であって、自分で撮影した画像をチャットのモードを利用して送信することができる。
【００１８】
本発明の請求項４に記載された発明は、電子メールの送受信の管理を行うメール管理手段と、電子メールに画像データを添付することができるメール作成手段を備え、チャット管理手段を備えていない他端末から呼設定メッセージを受信すると、制御部が撮影を実行し、メール管理手段が画像データを添付した電子メールを発信番号宛に送信できることを特徴とする請求項１〜３の何れかに記載のカメラ付携帯電話装置であって、発信番号の端末がチャット管理手段を備えていないとき、電子メールに画像データを添付して画像を送信できる。
【００１９】
本発明の請求項５に記載された発明は、ウェブチャットを行うことができるブラウザ手段と、ＨＴＭＬメッセージに画像データを添付することができるＨＴＭＬ作成手段を備え、ウェブチャットができる他端末から呼設定メッセージを受信すると、制御部が撮影を実行し、チャット管理手段が画像データをセットしたＨＴＭＬメッセージをウェブサーバ宛に送信できることを特徴とする請求項１〜４の何れかに記載のカメラ付携帯電話装置。であって、発信番号の端末がチャット管理手段を備えておらずウェブチャットができるとき、画像データをセットしたＨＴＭＬメッセージをウェブサーバ宛に送信することができる。
【００２０】
（実施の形態１）
本発明の実施の形態１のカメラ付携帯電話装置について説明する。実施の形態１のカメラ付携帯電話装置は、回線を接続せずに、あるいは接続する前に画像を閲覧するものである。図１は本発明の実施の形態１におけるカメラ付携帯電話装置を用いる通信システムの構成図、図２は本発明の実施の形態１におけるカメラ付携帯電話装置の構成図である。図１において、１は全国に張り巡らされたＩＳＤＮ等のデジタル回線網（以下、通信回線網）である。２ａ，２ｂは基地局であり、通信回線網１に所定間隔で設置され、それぞれ電波が到達する範囲（以下、通信圏内）を有している。３ａ，３ｂ，３ｃは液晶の表示部が設けられるとともに、後述するように周囲の画像を撮影するための撮像部２０が設けられたカメラ付携帯電話装置、４ａはカメラ付携帯電話装置３ａ，３ｂ，３ｃ間で電子メールを送受信するときときのメールサーバ、４ｂはカメラ付携帯電話装置３ａ，３ｂ，３ｃのブラウザからウェブチャットを行うためのウェブサーバである。基地局２ａ，２ｂは、それぞれの通信圏内に存在するカメラ付携帯電話装置３ａ，３ｂ，３ｃを無線で通信回線網１に接続する中継局である。実施の形態１においてはカメラ付携帯電話装置３ａ，３ｂ，３ｃのＣＣＤカメラを遠隔操作することができる。また、カメラ付携帯電話装置３ａ，３ｂ，３ｃは後で詳述するようにチャット管理手段２６を備えることにより、電子メールのほかに、ＰＩＡＦＳプロトコル等でチャットメールを送受信することができる。
【００２１】
カメラ付携帯電話装置３ａ，３ｂ，３ｃは、基地局２ａ，２ｂの通信圏内にいるとき、基地局２ａ，２ｂと無線交信することで通信回線網１に接続されて、通信回線網１と接続された他の電話機と通信可能になる一方で、基地局２ａ，２ｂの通信圏外にいる場合には、近傍に設置されている他の基地局（図示しない）と無線交信することで通信回線網１に接続され、他の電話機と通信できる。
【００２２】
次に、本実施の形態１のカメラ付携帯電話装置の構成について説明する。図２において、１１は送受信部、１２は通信制御部、１３は音声処理部である。送受信部１１は周波数変換部とモデムとから構成されている（図示しない）。周波数変換部の受信部は、アンテナで受信した信号を所定周波数の局部発振信号と混合することにより、中間周波信号（ＩＦ信号）に周波数変換する。また、周波数変換部の送信部は、後述するモデムから供給される変調波を所定周波数の局部発振信号と混合することにより周波数変換し、アンテナから輻射する。またモデムの受信部は、周波数変換部から出力されたＩＦ信号を復調し、通信制御部１２へ送出する。また、モデムの送信部では、通信制御部１２から供給されるデータを変調して、送受信部１１の周波数変換部へ送出する。
【００２３】
次に、通信制御部１２は、フレーム同期とスロットのデータフォーマット処理を行う。通信制御部１２の受信側は、送受信部１１のモデムから供給される受信データから所定のタイミングで１スロット分のデータを取り出し、このデータの中から同期信号を抽出してフレーム同期信号を生成し、スクランブル等を解除した後、制御データを後述の制御部１６へ送出し、音声データを音声処理部１３へ送出する。また、通信制御部１２の送信側は、音声処理部１３から供給される音声データに制御データ等を付加するとともに、スクランブル等を付与した後に同期信号を付加して、１スロット分の送信データを作成し、所定タイミングでフレーム内の所定スロットに挿入して送受信部１１のモデムに送出する。
【００２４】
次に、音声処理部１３は、受信側では通信制御部１２から供給される音声信号を復号化することにより伸張し、Ｄ／Ａ変換によりアナログ音声信号へ変換してスピーカ１４から出力する。音声処理部１３の送信側では、マイク１５から入力されたアナログ音声信号をＡ／Ｄ変換によりデータ信号に変換し、符号化することにより圧縮して通信制御部１２へ送出する。
【００２５】
次に、１６は制御部、１７は記憶部、１７ａは記憶部１７内に設けられたプログラム格納部、１７ｂは同じく記憶部１７内に設けられた着サブアドレス変換テーブル、１７ｃは着信履歴格納部、１７ｄは画像データ格納部、１８はキー入力部、１９は液晶ディスプレー等を駆動する表示部である。記憶部１７は外部メモリを増設して画像データ格納部１７ｄ等を記憶するのでもよい。制御部１６は、記憶部１７のプログラム格納部１７ａに格納されている制御プログラムを中央処理装置（ＣＰＵ）のメインメモリにロードして各機能を実現する機能実現手段として構成され、これにより各機能により装置全体を制御する。なお、後述する通信管理部２１、着サブアドレス処理手段２２、メール管理手段２３、メール作成手段２４、ブラウザ手段２５、チャット管理手段２６、チャットメール処理手段２７も同様に制御プログラムを中央処理装置または所定のプロセッサにロードして各機能を実現する機能実現手段として構成されるものである。
【００２６】
キー入力部１８は、相手先の電話番号を入力する数値キーやファンクションキー等からの入力を受け付け制御部１６につたえる。また表示部１９は、各種データやキー入力部１８からの入力で後述する撮像部２０のＣＣＤカメラが撮影した画像等を表示することができる液晶ディスプレーであり、さらにスイッチ等のオン／オフ等を示すＬＥＤ、及びこれらのドライバから構成されている。
【００２７】
２０は、カメラ付携帯電話装置に設けられたＣＣＤカメラと、このＣＣＤカメラで撮影した画像信号をフォーマット変換して輝度（Ｙ）と色差信号（Ｃｂ，Ｃｒ）に変換する画像処理回路、さらにはＧＩＦ形式、ＪＰＥＧ形式等のフォーマットに圧縮する撮像部である。なお、撮像部２０は静止画を撮影するものだけでなく、ビデオカメラ等動画を撮影するものでもよい。このときのフォーマットはＭＰＥＧ形式等で行われる。
【００２８】
２１は特定の発番号（着サブアドレスとともに送信されてきた発番号）だけに接続する等の各種の設定を行うことができ、さらにこれらの通信管理を行う通信管理部、２２は着サブアドレス設定がオンの場合に、呼設定メッセージが送られてきたとき通信管理部２１の命令で着サブアドレスと発番号（本発明の発信番号）を取り出し、この内容を解釈して通信管理部２１を介して制御部１６に渡す着サブアドレス処理手段である。
【００２９】
ここでこの着サブアドレスについて説明する。図３（ａ）は呼設定メッセージを説明するための概念図、図３（ｂ）は本発明の実施の形態１におけるカメラ付携帯電話装置の制御用着サブアドレス情報図である。呼設定メッセージは、発呼時、着信時に発信側と着信側の電話装置間で送受信される通信を行うためのメッセージである。図３（ａ）に示すように、この呼設定メッセージはプロトコル識別子、呼番号、メッセージ種別、他の情報要素、発番号、発サブアドレス、着番号及び着サブアドレス等の情報要素から構成されている。着信すると、発番号と発サブアドレス、着サブアドレス等の内容が記憶部１７に設けられた着信履歴格納部１７ｃに格納される。図３（ｂ）に示すように、５１１〜ｎは制御用着サブアドレス情報（本発明の制御情報）である。制御用着サブアドレス情報５１１〜ｎは制御命令に対応しており、着サブアドレス変換テーブル１７ｂに格納され、着サブアドレス処理手段２２によって解釈されて通信管理部２１を介して制御部１６に渡される。実施の形態１においては、着サブアドレスとして「撮影蓄積」を示す制御用着サブアドレス情報５１１「＃１」が送信されると、カメラ付携帯電話装置３ｂ，３ｃは撮影を行い、画像データを操作者のカメラ付携帯電話装置３ａに蓄積する。
【００３０】
着サブアドレスに制御用着サブアドレス情報５１２「＃２」をセットして送信した場合には、撮影後ＰＩＡＦＳ（ＰＨＳ　Ｉｎｔｅｒｎｅｔ　Ａｃｃｅｓｓ　Ｆｏｒｕｍ　Ｓｔａｎｄａｒｄ）で規定されたプロトコルやＩＳＤＮのＵＵＩ機能等の方式による直送文字・画像通信を利用して画像データをリアルタイムに他のカメラ付携帯電話装置に通信回線網１を介して送信することができる。トランシーバ機能の場合直接送信となる。これはリンクチャンネルを使って行う画像監視であり、画像データを送信するが、当然文字データも送信できるものである。すなわち、リンクチャンネルを使った文字通信（以下チャット）のフレームのフィールドにエンコードした画像データをセットして送信するものであり、実施の形態１においてはとくに端末間で接文字・画像通信を行う直送文字・画像通信をチャットメールという。なお、チャットとチャットメールとを分ける必要性は乏しいが、文字通信を前提にしてこれに画像データをのせた技術ということで、以下チャットを、固有のチャットとチャットメールに分け、全体を併せてチャットと呼ぶことにする。
【００３１】
なお、チャットメールは、通信回線網１に設置しているメールサーバ（図示せず）へのメールを送信する形式（例えばＳＭＴＰ／ＭＩＮＥプロトロルの記述形式）と同一のものを使用することにすれば、容易にチャットメールの機能追加が可能となる。
【００３２】
また、制御用着サブアドレス情報５１３「＃３」を着サブアドレスにセットして送信した場合には、画像監視（電子メール送信）であり、電子メールによる画像監視が実行され、撮影後ＳＭＴＰで電子メールに画像データを添付して通信回線網に接続されたメールサーバ（図示せず）に他のカメラ付携帯電話装置を宛先として送信する。このほか、制御用着サブアドレス情報５１４「＃４」を使ったときは、画像監視（ウェブチャット送信）であり、ウェブチャットによる画像監視が行われ、ウェブチャットを利用して画像を送ることもできる。
【００３３】
さて次に、２３は、カメラ付携帯電話装置３ａ，３ｂ，３ｃから基地局２ａ，２ｂを介してＩＳＰのゲートウェイとの間にＰＰＰ接続し、ＳＭＴＰでインターネット上にメールを送受信するメール管理手段である。制御用着サブアドレス情報５１３「＃３」を着サブアドレスにセットして送信した場合には、撮影後電子メールに画像データを添付してメールサーバ（図示せず）を介して他のカメラ付携帯電話装置に送信する。この場合は、画像を要求してからの応答は比較的遅いが、一般的なソフトウェアで足りるし、相手の端末がＰＩＡＦＳ等でチャットできない場合に利用することができる。２４はキー入力部１８等からの入力で、後述するように撮像部２０で撮影した画像をメール管理手段２３によって所定のメールアドレス宛てにメールするメール作成手段である。なお、メールアドレスは予めカメラ付携帯電話装置に記憶させておいてもよいし、操作者が着サブアドレスに制御用着サブアドレス情報５１３「＃３」に続けてメールアドレスを記入して通知するのでもよい。
【００３４】
同様に、２５はインターネットとＨＴＴＰで接続してウェブページを閲覧するためのブラウザ手段である。「ｉモード」「ｅｚウェブ」等のホームページを閲覧することができる。制御用着サブアドレス情報５１４「＃４」を使ったときは、登録してウェブチャットが利用可能な場合にウェブサーバ４ｂによりチャンネルを形成し、画像を送ることができる。この場合ごく一般的なブラウザを使うことができるが、送信から受信までにかなりの時間がかかる上に、サーバ等、ネットワークにかける負担が大きくなる。なお、このブラウザ手段２５でウェブチャットを利用するのは、相手端末がチャットメールすることができず、ウェブチャットが可能なときに限るのが望ましい。
【００３５】
続いて２６は、例えばカメラ付携帯電話装置３ａ，３ｂ間にＰＩＡＦＳ等でリンクチャンネルを確立し、チャットのみを行うプロトコルまたはチャットメールを送受信するプロトコルを選択してＰＩＡＦＳ層をリンクさせてチャットのサービスチャンネルを確立し、これによってチャットまたはチャットメールを送信可能にする送信機能と、サービスチャンネルを確立してチャットまたはチャットメールを受信可能にする受信機能とを備えたチャット管理手段である。チャット管理手段２６は呼設定メッセージに対する応答メッセージを返す。プロトコルが選択されるとチャット管理手段２６はＣＰＵに常駐する。そしてチャット管理手段２６は、チャットメールの送受信中には表示部１９に「チャットメール接続中」「チャットメール受信中」「チャットメール送信中」「チャットメール返信待ち」等の表示を行わせる。チャットの場合も同様である。またチャット管理手段２６は、チャットメールを実行するときは、チャンネル確立後メールプロトコルに従ってチャットメールを送受信する。
【００３６】
次に２７は、チャットサービスチャンネルを確立したとき、チャットメールを作成するチャットメール処理手段である。チャットメール処理手段２７はプロトコルＭＩＮＥに従って文字データまたは画像データを作成し、チャットの本文メッセージとして送信する。なお、画像データは撮像部２０で撮影後ＧＩＦ形式かＪＰＥＧ形式等に変換されるが、チャットメール処理手段２７はこれをＢａｓｅ６４に従って文字データにエンコードしてセットする。
【００３７】
さて実施の形態１において、カメラ付携帯電話装置３ａ，３ｂの動作について説明する。図４は本実施の形態１におけるチャットメールシステムの画像監視を行うシーケンス図である。図４において、カメラ付携帯電話装置３ａからカメラ付携帯電話装置３ｂのカメラを制御し、撮影した画像を取り寄せるときには、カメラ付携帯電話装置３ａはチャットメール入力画面からチャットメール処理手段２７を呼び出し、送信メール作成を所定のフォームで行うか等の選択を行い、カメラ付携帯電話装置３ｂの電話番号と制御用着サブアドレス情報５１２「＃２」を画面から入力する（ｓ１）。これにより図３（ａ）で示す呼設定メッセージには、プロトコル識別子には呼制御を示すＣＣがセットされ、メッセージ種別は呼設定メッセージ、発番号としてはカメラ付携帯電話装置３ａ自身の電話番号、着番号はカメラ付携帯電話装置３ｂの電話番号がセットされる。着サブアドレスには「＃２」がセットされる。カメラ付携帯電話装置３ａはこれをカメラ付携帯電話装置３ｂに送信する（ｓ２）。
【００３８】
カメラ付携帯電話装置３ｂはこの呼設定メッセージを受信し（ｓ３）、着サブアドレス処理手段２２が制御用着サブアドレス情報５１２の「＃２」を抽出し（ｓ４）、この内容を解釈して通信管理部２１を介して制御部１６に渡す。制御部１６は撮像部２０に起動をかけ撮影させるとともに（ｓ５）、画像データ格納部１７ｄに一時記憶する（ｓ６）。この一時記憶終了をトリガとして、チャット管理手段２６は、制御用着サブアドレス情報５１２の「＃２」によって遅延させていたチャンネルの形成を実行に移し、発番号で宛先を特定した応答メッセージを返し（ｓ７）、カメラ付携帯電話装置３ａがこれを受信し（ｓ８）、チャットメールのサービスチャンネルをカメラ付携帯電話装置３ａとカメラ付携帯電話装置３ａ間に確立する（ｓ９）。
【００３９】
チャンネルが確立したら、チャットメール処理手段２７は画像データ格納部１７ｄに一時記憶した画像データをｂａｓｅ６４でエンコードし、これをデータ領域にセットしたメッセージを作成する（ｓ１０）。制御用着サブアドレス情報５１２の「＃２」がセットされているため、チャットモードであれば押すはずのユーザによる送信ボタンの押下が不要となり、メッセージ作成が完了するとこれをイベントとして送信される（ｓ１１）。
【００４０】
カメラ付携帯電話装置３ａがこのチャットメールを受信し（ｓ１２）、チャットメール処理手段２７によってデコードしてＧＩＦ形式、ＪＰＥＧ形式の画像データに変換し、これをチャット管理手段２６が表示部１９に表示させる（ｓ１３）。
【００４１】
次いで、カメラ付携帯電話装置３ａのチャットメール入力画面で更新ボタンを押す（ｓ１４）ことにより、チャットメール処理手段２７は設定されたフォームに何も入力しないままヘッダをつけたメール（以下、空のチャットメール）を送信する（ｓ１５）。カメラ付携帯電話装置３ｂはこの空のチャットメールを受信する（ｓ１６）と、チャット管理手段２６はこれを「連続して画像監視（撮影後チャットメール送信）」と認識し（ｓ１７）、撮像部２０に起動をかけ撮影を実行し（ｓ１８）、画像データをｂａｓｅ６４でエンコードし、これをデータ領域にセットしたメッセージを作成する。メッセージ作成が完了するとこれをイベントとして送信し（ｓ１９）、カメラ付携帯電話装置３ａが受信する（ｓ２０）。
【００４２】
連続して撮影したい場合は、この更新ボタンを繰り返し押せばよく、これによって撮影した画像はすべてチャットメールで取り寄せることができる。連続して監視が繰り返され（ｓ２１）、チャットメールは、カメラ付携帯電話装置３ａとカメラ付携帯電話装置３ｂのどちらからでも回線を切断することにより、終了させることができる（ｓ２２）。
【００４３】
なお、以上は、制御用着サブアドレス情報５１２「＃２」を使って発信側であるカメラ付携帯電話装置３ａがカメラ付携帯電話装置３ｂで撮影した画像を入手するものであったが、発信側のカメラ付携帯電話装置３ａがキー入力部１８からの入力で撮像部２０によって撮影し、この撮影した画像をチャットメールにセットしてカメラ付携帯電話装置３ｂに送信することも同様に可能である。
【００４４】
このように、実施の形態１のカメラ付携帯電話装置は、撮影した画像データをチャットで送るため、きわめて短時間に画像を得ることができ、端末間でダイレクトに画像を送信でき、画像の送信がネットワークへ負担をかけず、リアルタイムに画像を入手できる。また、撮影を行うのをチャットに入る前に行うので課金されることがない。空のメッセージを受信した場合、直ちに且つダイレクトに画像を送信でき、リアルタイムもしくはこれに近い状態で画像を入手できる。また、チャットメールができないときには、電子メール、ウェブチャットにより画像を送信することができる。
【００４５】
【発明の効果】
本発明のカメラ付携帯電話装置によれば、着サブアドレスを使用して撮像部を制御して撮影を行い、撮影した画像データをチャットで送るため、きわめて短時間に画像を得ることができ、応答性がよい。発信番号宛の送信を行うから端末間でダイレクトに画像を送信でき、画像の送信がネットワークへ負担をかけず、リアルタイムもしくはこれに近い状態で画像を入手できる。カメラ付携帯電話装置を簡易で安価な監視カメラとして利用できる。
【００４６】
また、本文がセットされていない空のメッセージを受信した場合、画像データをセットしたメッセージを発信番号宛に送信するから、制御情報を解析する必要がなく、直ちにダイレクトに画像を送信でき、リアルタイムもしくはこれに近い状態で画像を入手できる。そして自分で撮影した画像をチャットのモードを利用して送信することができる。
【００４７】
また、電子メールの送受信の管理を行うメール管理手段と、電子メールに画像データを添付することができるメール作成手段を備えているから、発信番号の端末がチャット管理手段を備えていないとき、電子メールに画像データを添付して画像を送信できる。同様に、ウェブチャットを行うことができるブラウザ手段と、ＨＴＭＬメッセージに画像データを添付することができるＨＴＭＬ作成手段を備えているため、発信番号の端末がチャット管理手段を備えておらずウェブチャットができるとき、画像データをセットしたＨＴＭＬメッセージをウェブサーバ宛に送信することができる。
【図面の簡単な説明】
【図１】本発明の実施の形態１におけるカメラ付携帯電話装置を用いる通信システムの構成図
【図２】本発明の実施の形態１におけるカメラ付携帯電話装置の構成図
【図３】（ａ）呼設定メッセージを説明するための概念図
（ｂ）本発明の実施の形態１におけるカメラ付携帯電話装置の制御用着サブアドレス情報図
【図４】本発明の実施の形態１におけるチャットメールシステムの画像監視を行うシーケンス図
【図５】従来のカメラの構成図
【符号の説明】
１　通信回線網
２ａ，２ｂ　基地局
３ａ，３ｂ，３ｃ　カメラ付携帯電話装置
４ａ　メールサーバ
４ｂ　ウェブサーバ
１１　送受信部
１２　通信制御部
１３　音声処理部
１４　スピーカ
１５　マイク
１６　制御部
１７　記憶部
１７ａ　プログラム格納部
１７ｂ　着アドレス変換テーブル
１７ｃ　着信履歴格納部
１７ｄ　画像データ格納部
１８　キー入力部
１９　表示部
２０　撮像部
２１　通信管理部
２２　着サブアドレス処理手段
２３　メール管理手段
２４　メール作成手段
２５　ブラウザ手段
２６　チャット管理手段
２７　チャットメール処理手段
５１１〜ｎ　制御用着サブアドレス情報
１０１　メール受信部
１０２　メール送信部と
１０３　アドレス比較部
１０４　アドレス記憶部
１０５　メール制御部
１０６　駆動装置制御部
１０７　駆動装置
１０８　時計部
１０９　ＣＣＤ制御部
１１０　ＣＣＤ
【図１】
2004072652.tif 000003
【図２】
2004072652.tif 000004
【図３】
2004072652.tif 000005
【図４】
2004072652.tif 000006
【図５】
2004072652.tif 000007